(57)【要約】デバイス管理可能デバイスは、非デバイス管理可能デバイスのための管理を実行する。デバイス管理可能デバイスは、非デバイス管理可能デバイスに対するプロキシとしてデバイス管理エンティティと接続することにより、デバイス管理を実行する。デバイス管理可能デバイスが、非デバイス管理可能デバイスに対する、デバイス管理に関する情報を取得すると、デバイス管理可能デバイスは、非デバイス管理可能デバイスに接続し、非デバイス管理可能デバイスに、デバイス管理情報を送信する。
2008546283.tif 000002
【特許請求の範囲】
【請求項１】
無線ネットワークに接続された第１のセルラー無線通信デバイスをアップデートするための方法であって、該方法は、
該無線ネットワークから、第２のセルラー無線通信デバイスにおいて、アップデートを受信するステップであって、該アップデートは、該第１のセルラー無線通信デバイスをアップデートするための情報を含んでいる、ステップと、
該第２のセルラー無線通信デバイスから、該第１のセルラー無線通信デバイスまで、通信チャンネルを接続するステップと、
該第２のセルラー無線通信デバイスから、該第１のセルラー無線通信デバイスまで、該アップデートを送信するステップと
を包含し、
該第１のセルラー無線通信デバイスは、該無線ネットワークから該アップデートを直接的に受け入れるようには構成されていない、方法。
【請求項２】
前記第２のセルラー無線通信デバイスを前記ネットワーク上のアップデートサーバに接続するステップ
をさらに包含する、請求項１に記載の方法。
【請求項３】
前記第２のセルラー無線通信デバイスにおいて、特定の入力デバイスを用いることにより、オプションを選択するためのコマンドを受信するステップと、
該第２のセルラー無線通信デバイスにおいて、該特定の入力デバイスからの入力に基づいて、選択の指示を受信するステップと
をさらに包含し、
前記第１のセルラー無線通信デバイスは、該特定の入力デバイスを有していない、
請求項１に記載の方法。
【請求項４】
前記特定の入力デバイスは、数字キーである、請求項３に記載の方法。
【請求項５】
前記オプションは、無線機能のオプションを含んでいる、請求項３に記載の方法。
【請求項６】
前記第１のセルラー無線通信デバイスは、限定的なキーパッドを含んでいる、請求項１に記載の方法。
【請求項７】
前記受信するステップは、無線サービス供給情報を受信するステップを含んでいる、請求項１に記載の方法。
【請求項８】
前記受信するステップは、無線パラメータアドミニストレーション情報を受信するステップを含んでいる、請求項１に記載の方法。
【請求項９】
前記受信するステップは、ソフトウェアのアップデートを受信するステップを含んでいる、請求項１に記載の方法。
【請求項１０】
前記受信するステップは、構成のアップデートを受信するステップを含んでいる、請求項１に記載の方法。
【請求項１１】
前記受信するステップは、サービスのアップデートを受信するステップを含んでいる、請求項１に記載の方法。
【請求項１２】
前記通信チャネルは、半二重通信を含んでいる、請求項１に記載の方法。
【請求項１３】
前記第１のセルラー無線通信デバイスは、半二重のみのセルラー無線通信デバイスを含んでいる、請求項１に記載の方法。
【請求項１４】
前記通信チャネルは、プッシュトゥトーク通信チャネルを含んでいる、請求項１に記載の方法。
【請求項１５】
前記アップデートは、無線機能のアップデートを含んでいる、請求項１に記載の方法。
【請求項１６】
前記アップデートは、モバイル識別番号、選択式ローミングリスト、アドレスリスト、ディレクトリ、セキュリティのための電子鍵交換、符号分割多重アクセスの動作パラメータ、またはコール履歴に関連するパラメータを含んでいる、請求項１に記載の方法。
【請求項１７】
前記アップデートは、前記コール履歴中のエントリの数を含んでいる、請求項１６に記載の方法。
【請求項１８】
無線通信ネットワークに接続されたデバイス管理エンティティと、
該無線通信ネットワークと通信する、限定的なキーパッドのセルラー無線通信デバイスと、
非限定的なキーパッドのセルラー無線通信デバイスであって、該デバイス管理エンティティから情報項目を受信し、該無線通信ネットワークを介して、該限定的なキーパッドのセルラー無線通信デバイスに、該情報項目を送信するように構成されている、非限定的なキーパッドのセルラー無線通信デバイスと
を備えたシステムであって、
該限定的なキーパッドのセルラー無線通信デバイスは、該無線通信ネットワークから該情報項目を直接的に受け入れるようには構成されていない、システム。
【請求項１９】
前記限定的なキーパッドのセルラー無線通信デバイスは、半二重のみのセルラー無線通信デバイスを含んでいる、請求項１８に記載のシステム。
【請求項２０】
前記情報項目は、無線パラメータアドミニストレーション情報の項目を含んでいる、請求項１８に記載のシステム。
【請求項２１】
前記情報項目は、無線サービス供給情報の項目を含んでいる、請求項１８に記載のシステム。
【発明の詳細な説明】
【技術分野】
【０００１】
（本発明の分野）
本発明は、概して、無線通信に関し、より詳細には、無線通信デバイスのためのデバイス管理に関する。
【背景技術】
【０００２】
（関連技術の記載）
消費者は、無線通信デバイス（例えば、セルラー電話）におけるプッシュトゥトーク（ＰＴＴ）機能をますます求めるようになっている。ＰＴＴサービスは、あるユーザが１人以上のユーザとの通信を即時に行うことを可能にする双方向形態の通信である。ＰＴＴサービスは、「ウォーキートーキー（ｗａｌｋｉｅ−ｔａｌｋｉｅ）」アプリケーションと類似している。ユーザは、ウォーキートーキーアプリケーションでは、ボタンを押すことにより、各ユーザと通話することや、関係者のグループに通話を一斉に送信することができる。ＰＴＴユーザは、音声の受信を自動的に行い、受信側の動作を必要なくするために、自動的に回答できるようにプログラムされ得る。通信は、半二重であり得る。これは、最大で１人の人物が、同時に通話することができ、その他の関係者が、音声を聞くということを意味している。これは、音声コールとは対照的である。音声コールは、全二重であり、２人以上の人物が同時に通話することができる。さらに、ＰＴＴのみの無線通信デバイスに対する要求も存在する。
【０００３】
無線通信デバイスのサービスにおいて急速に成長している別の分野は、デバイス管理である。デバイス管理は、デバイスの設定とデバイスのアプリケーションとを遠隔的に管理するためのプロセスである。モバイルデバイスの機能が拡張していくにつれて、デバイス上のサービスおよび特徴を構成および管理することは、複雑かつ時間を要する作業となった。現在の制限された特徴でさえも、多くの消費者は、彼らの電話を構成する方法を知っていない。オペレータは、消費者にとって、電話の構成がすぐに容易に行えるようにしなければならない。
【０００４】
デバイス管理および新しいサービスの供給は、無線経由（ＯＴＡ；ｏｖｅｒ−ｔｈｅ−ａｉｒ）で実行され得る。ＩＰベースの無線経由のデバイス管理（ＩＯＴＡ−ＤＭ）が、可能である。ＩＯＴＡ−ＤＭは、ユーザが新しいサービスに容易に加入できるようにする機構を提供するので、幅広いモバイルサービスの採用の役に立ち得る。これにより、オペレータは、サービスの変更を動的に調整し、一定レベルの品質のサービスを保証することにより、新しいサービスおよび管理が供給されたサービスを、迅速かつ容易に導入することができる。ＯＴＡＳＰ（Ｏｖｅｒ−Ｔｈｅ−Ａｉｒ  Ｓｅｒｖｉｃｅ  Ｐｒｏｖｉｓｉｏｎｉｎｇ）およびＩＯＴＡ−ＨＣＭ（ＩＰ−Ｂａｓｅｄ  Ｏｖｅｒ−Ｔｈｅ−Ａｉｒ  Ｈａｎｄｓｅｔ  Ｃｏｎｆｉｇｕｒａｔｉｏｎ  Ｍａｎａｇｅｍｅｎｔ）の両方は、デバイス管理と関連して機能し得る。
【０００５】
一部のセルラー無線通信デバイスは、限られた個数のボタンを有し得る。あるいは、一部のセルラー無線通信デバイスは、インターネットプロトコル接続のみが可能であり得る。例えば、一部のセルラー無線通信デバイスは、フル形式の１０キーのキーパッドを有していないことがあり得る。一部のセルラー無線通信デバイスは、コール専用の所定の番号の専用ボタンのみを有し得る。例えば、ＰＴＴのみのデバイス（ＰＯＤ；ＰＴＴ  ｏｎｌｙ  ｄｅｖｉｃｅ）は、コール専用の所定の番号の専用ボタンのみを有し得る。したがって、それらは、キーパッドの使用（例えば、＊２２８にダイヤルし、回線交換ネットワークを介して伝統的なＯＴＡＳＰセッションを呼び寄せる、など）を必要とする無線経由のデバイス管理を実行することができない。
【発明の開示】
【課題を解決するための手段】
【０００６】
（概要）
デバイス管理可能（ｄｅｖｉｃｅ  ｍａｎａｇｅｍｅｎｔ  ｅｎａｂｌｅｄ）デバイスは、非デバイス管理可能（ｎｏｎ−ｄｅｖｉｃｅ  ｍａｎａｇｅｍｅｎｔ  ｅｎａｂｌｅｄ）デバイスのためのデバイス管理を実行する。デバイス管理可能デバイスは、非デバイス管理可能デバイスに対するプロキシとしてデバイス管理エンティティと接続することにより、デバイス管理を実行する。デバイス管理可能デバイスが、非デバイス管理可能デバイスに対する情報を取得すると、デバイス管理可能デバイスは、非デバイス管理可能デバイスに接続し、非デバイス管理可能デバイスに、デバイス管理情報を送信する。
【０００７】
非デバイス管理可能デバイスは、限定的なキーおよび非デバイス管理デバイスをデバイス管理できないようにしている原因となるその他の制限にも関わらず、デバイス管理サービスを取得することができる。さらに、非デバイス管理可能デバイスに対するデバイス管理サービスは、デバイス管理可能デバイスによって、制御され得る。
【０００８】
利点は、デバイス管理可能なセルラー無線通信デバイス上で、以下のうちの１つ以上をアップデートすることが可能なことを含み得る：モバイル識別番号（ＭＩＮ）、選択式ローミングリスト、アドレスリストまたはディレクトリ、セキュリティのための電子鍵交換、ＣＤＭＡ動作パラメータ、コール履歴中のエントリの数、およびコール履歴に関するその他のパラメータ。
【０００９】
本発明のその他の局面、利点、および新規な特徴は、添付の図面に関連して考えられたときに、以下の詳細な説明から理解され得る。
【発明を実施するための最良の形態】
【００１０】
（詳細な説明）
図１は、非デバイス管理可能セルラー無線通信デバイス１００をアップデートするための無線通信システムを描いたブロック図を示している。デバイス管理サービスおよび無線通信デバイスサービスに関連する様々な局面は、２００４年５月１８日に出願された、Ｒｏｓｅｎ他の米国特許第６，７３８，６１７号Ｂ２；２００３年５月１３日に出願された、Ｈｒｏｎｅｋの米国特許第６，５６４，０５５号Ｂ１；２００２年６月４日に出願された、Ｈａｒｄｉｎの米国特許第６，４００９４８号Ｂ１；２００１年２月１３日に出願された、Ｃｈａｔｔｅｒｊｅｅ他の米国特許第６，１８８，８９９号；２００１年６月２８日に出願された、Ｋａｎｇによる米国特許出願公開第２００１／０００５３６４号Ａ１；２００４年７月１日に出願された、Ｍａｈａｊａｎによる米国特許出願公開第２００４／０１２７２０５号Ａ１に記載されており、これらは、参考のためにその全体が本明細書中に援用される。
【００１１】
デバイス管理可能セルラー無線通信デバイス１０２は、無線インターフェース１０５を介して、基地局１０８と通信する。非デバイス管理可能セルラー無線通信デバイス１００およびデバイス管理可能セルラー無線通信デバイス１０２は、モバイル局と称され得る。基地局１０８は、基地局コントローラ（ＢＳＣ）１１１と通信する。ＢＳＣ１１１は、デバイス管理エンティティ（ＤＭＥ）１１２と通信する。ＤＭＥ１１２は、モバイル局１０２に対するサービス供給とアップデート機能とを実行する。例えば、ＤＭＥ１１２は、デバイス管理可能セルラー無線通信デバイス１０２に対して以下の項目のうちの１つ以上をアップデートするように構成され得る：モバイル識別番号（ＭＩＮ）、選択式ローミングリスト、アドレスリストまたはディレクトリ、セキュリティのための電子鍵交換、ＣＤＭＡ動作パラメータ、コール履歴中のエントリの数、およびコール履歴に関するその他のパラメータ。アップデートされた項目は、アップデートと称され得る。ＤＭＥ１１２は、ＯＴＡＦ（Ｏｖｅｒ  ｔｈｅ  Ａｉｒ  Ｓｅｒｖｉｃｅ  Ｐｒｏｖｉｓｉｏｎｉｎｇ  Ｆｕｎｃｔｉｏｎ）またはデバイス管理（ＤＭ）サーバであり得、これらは、図４に関連して以下でさらに十分に記載される。
【００１２】
アップデートを完遂するために、無線通信デバイス１０２のユーザは、様々なデバイス管理関連の選択を行うように促され得る。例えば、ユーザは、デバイス管理のアップデートを完遂するために、「９」を選択するように促され得る。その後、ユーザは、キーパッド１９４上の「９」（図示されていないが）とマークされたキー１０１を押す。無線通信デバイスはまた、様々なメニューおよび／または選択をナビゲートするための、ナビゲーションキーをも含み得る。
【００１３】
デバイス管理可能デバイス１０２によってアップデートが受信された後、上記アップデートは、非デバイス管理可能デバイス１００に配信され得る。有利にも、このことは、非デバイス管理可能デバイスが、デバイス管理可能でないにも関わらず、管理アップデートを受信することを可能にする。例えば、非デバイス管理可能デバイス１００は、限定的なキーパッド１２０を有し得る。例えば、非デバイス管理可能デバイス１００は、図１に関連して示されているように、４個のキー１２５、１３０、１３５、および１４０のみを有し得る。非デバイス管理可能デバイス１００は、４個より多くのキーまたは４個よりも少ないキーを有し得、あるいは、キーは、図１に関連して示されているものとは異なるように構成され得る。
【００１４】
キー１２５、１３０、１３５、および１４０は、専用のプッシュトゥトーク（ＰＴＴ）キーであり得る。デバイス１００は、ＰＴＴのみのセルラー電話であり得る。キー１２５、１３０、１３５、および１４０は、特定の個人に専用のキーであり得る。例えば、キー１２５は、ユーザの母親に対するＰＴＴコールを引き起こし得る。キー１３０は、ユーザの父親に対するＰＴＴコールを引き起こし得る。キー１３５は、ユーザの友人に対するＰＴＴコールを引き起こし得る。最後に、キー１３５は、緊急サービスに対するＰＴＴコールを引き起こし得る。そのようなセルラー電話は、例えばデバイス１０２のようにフルキーパッドを有している従来のセルラー電話に比べ、遥かに容易かつ素早く使用することができる。
【００１５】
ＰＴＴ通信の一部の局面は、２００４年９月１日に出願された、Ｋｉｒｂａｓによる米国特許出願第１０／９３１，７１２号、２００４年７月３０日に出願された、Ｃｈｈａｔｒｉｗａｌａ他による米国特許出願第１０／９０３，１７４号、２００４年１０月１９日に出願された、Ｓｅｒｂｉｎ他による米国特許出願第１０／９６９，３８６号に記載されており、これらの各々は、本発明の譲受人に譲渡されており、これらは、参考のため本明細書中に援用される。有利にも、デバイス１００は、デバイス１００が非デバイス管理可能デバイスであるにも関わらず、デバイス管理情報によってアップデートされ得る。
【００１６】
図４は、非デバイス管理可能セルラー無線通信デバイスをアップデートするための別の無線通信システムを描いたブロック図を示している。このような無線通信システムまたはこれに類似した無線通信システムは、近い将来に実装されることが企図されている。「ＩＰ  Ｂａｓｅｄ  Ｏｖｅｒ−ｔｈｅ−Ａｉｒ  Ｄｅｖｉｃｅ  Ｍａｎａｇｅｍｅｎｔ（ＩＯＴＡ−ＤＭ）  ｆｏｒ  ｃｄｍａ２０００（Ｒ）ｓｙｓｔｅｍｓ」，３ｒｄ  Ｇｅｎｅｒａｔｉｏｎ  Ｐａｒｔｎｅｒｓｈｉｐ  Ｐｒｏｊｅｃｔ２  「３ＧＰＰ２」，Ｃ．Ｐ００６４−０  Ｖｅｒ．０．６，Ｊａｎｕａｒｙ１０，２００５を参照されたい。ＣＤＭＡ２０００（Ｒ）は、米国電気通信工業会（ＴＩＳ−ＵＳＡ）の登録商標である。商品およびサービスに適用されるとき、ＣＤＭＡ２０００（Ｒ）マークは、それらがＣＤＭＡ２０００（Ｒ）規格に準拠していることを証明する。
【００１７】
図４に関連して用いられる用語および定義のリストは、以下のテーブル１に示される。
【００１８】
（テーブル１）
認証、認可、および課金（ＡＡＡ；Ａｕｔｈｅｎｔｉｃａｔｉｏｎ，Ａｕｔｈｏｒｉｚａｔｉｏｎ  ａｎｄ  Ａｃｃｏｕｎｔｉｎｇ）。ＩＰベースのネットワークにおいて、ユーザがアクセスするリソースを制御し、ネットワーク上のユーザの動作を追跡する方法である。
【００１９】
基地局コントローラ（ＢＳＣ）。セルサイトとＭＳＣとの間に、音声交換データメッセージおよび回線交換データメッセージをルーティングする、ネットワークエンティティである。これは、必要に応じて、１つのセルサイトから別のセルサイトへのハンドオフを制御および配向する役目をも担い得る。
【００２０】
ＣＤＭＡ  ＯＴＡＳＰ／ＯＴＡＰＡ。以下のＯＴＡＰＡ（Ｏｖｅｒ−Ｔｈｅ−Ａｉｒ  Ｐａｒａｍｅｔｅｒ  Ａｄｍｉｎｉｓｔｒａｔｉｏｎ）およびＯＴＡＳＰ（Ｏｖｅｒ−Ｔｈｅ−Ａｉｒ  Ｓｅｒｖｉｃｅ  Ｐｒｏｖｉｓｉｏｎｉｎｇ）を参照されたい。
【００２１】
構成管理、エンタープライズ管理、サービス管理、およびソフトウェア管理。無線通信キャリアが定義されているシステムおよびサービスである。デバイスに対して同期マークアップ言語（ＳｙｎｃＭＬ）ＤＭコマンドを発行し、デバイスから送信された応答を正確にインタープリットする、ネットワークエンティティである。ＳｙｎｃＭＬは、プラットフォームに依存しない情報の同期化の規格であり、これは、製造元、アプリケーション、またはオペレーティングシステムに固有の既存の同期化ソリューションを置換し得る。モバイルデバイス内の関連する管理ソフトウェアクライアントは、各タイプの管理に対し、ＳｙｎｃＭＬコマンドを正確にインタープリットし、モバイルデバイス内で適切な動作を実行させ、関連する応答を発行元の管理エンティティに送信する。管理エンティティに関連するさらなる情報は、「ＳｙｎｃＭＬ  Ｄｅｖｉｃｅ  Ｍａｎａｇｅｍｅｎｔ  Ｔｒｅｅ  ａｎｄ  Ｄｅｓｃｒｉｐｔｉｏｎ」、Ｏｐｅｎ  Ｍｏｂｉｌｅ  Ａｌｌｉａｎｃｅ（ＯＭＡ）、ＯＭＡ−ＳｙｎｃＭｌ−ＤＭＴＮＤ−Ｖ１＿１＿２−２００３０６１２−Ｃに見出すことができる。
【００２２】
デバイス管理（ＤＭ）。デバイスを遠隔的に管理する方法である。管理は、初期供給、供給パラメータの管理、および新しいパラメータのプログラミングを含む。
【００２３】
ＤＭサーバ。モバイルデバイス内のサービスおよびアプリケーションを管理する、ネットワーク内のエンティティである。これは、ＤＭコマンドを発行し、ＤＭクライアントからの応答を正確にインタープリットする。
【００２４】
ホームエージェント（ＨＡ）。ネットワークエンティティであって、これは、モバイルのホームＩＰアドレスと、移動先ネットワーク（すなわち、例えばＰＤＳＮのような移動先エージェント）からの「ケアオブ（ｃａｒｅ−ｏｆ）」アドレス（すなわち、モバイルが借りているアドレス）との間の関連性を維持する。ＨＡは、移動先ネットワーク上のケアオブアドレスにパケットをリダイレクトおよびトンネリングする。
【００２５】
ホームロケーションレジスタ（ＨＬＲ）。ＨＬＲは、回線交換ネットワークにおけるモバイルネットワーク、例えば、ＡＮＳＩ−４１ネットワークに対する永続的な加入者情報のメインデータベースである。ＨＬＲは、少なくとも符号分割多重アクセス（ＣＤＭＡ）ネットワーク、時分割多重アクセス（ＴＤＭＡ）ネットワーク、およびＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）ネットワークの集積コンポーネントである。ＨＬＲは、加入者のホームキャリアによって維持され、関連のあるユーザの情報（アドレス、アカウント状態、および嗜好を含む）を含んでいる。ＨＬＲは、モバイル交換センター（ＭＳＣ）と相互作用する。上記モバイル交換センターは、コールの制御および処理のために用いられるスイッチである。
【００２６】
メッセージセンター（ＭＣ）。モバイル局へのＳＭＳメッセージおよびモバイル局からのＳＭＳメッセージを取り扱う、ネットワークエンティティである。メッセージセンターは、無線システムと分離したものであるか、無線システムと物理的に一体であり得る。
【００２７】
モバイル交換センター（ＭＳＣ）。無線電話サービスを提供する装置の構成である。ＭＴＳＯ（ｍｏｂｉｌｅ  ｔｅｌｅｐｈｏｎｅ  ｓｗｉｔｃｈｉｎｇ  ｏｆｆｉｃｅ）とも称される。ＭＳＣはまた、公衆電話交換網（ＰＳＴＮ）にアクセスするためのポイントとしての役目も担い得る。
【００２８】
ＯＡＴＦ（Ｏｖｅｒ−ｔｈｅ−Ａｉｒ  Ｓｅｒｖｉｃｅ  Ｐｒｏｖｉｓｉｏｎｉｎｇ  Ｆｕｎｃｔｉｏｎ）。ＯＴＡＳＰ機能およびメッセージングプロトコルを制御するネットワーク装置の構成である。
【００２９】
ＯＴＡＰＡ（Ｏｖｅｒ−ｔｈｅ−Ａｉｒ  ｐａｒａｍｅｔｅｒ  Ａｄｍｉｎｉｓｔｒａｔｉｏｎ）。無線インターフェースを介してモバイル局の動作パラメータを供給するためにネットワークによって開始されるＯＴＡＳＰプロセスである。「Ｏｖｅｒ−ｔｈｅ−Ａｉｒ  Ｓｅｒｖｉｃｅ  Ｐｒｏｖｉｓｉｏｎｉｎｇ  ｏｆ  Ｍｏｂｉｌｅ  Ｓｔａｔｉｏｎｓ  ｉｎ  Ｓｐｒｅａｄ  Ｓｐｅｃｔｒｕｍ  Ｓｙｓｔｅｍｓ」、３ｒｄ  Ｇｅｎｅｒａｔｉｏｎ  Ｐａｒｔｎｅｒｓｈｉｐ  Ｐｒｏｊｅｃｔ２  「３ＧＰＰ２」、Ｃ．Ｓ００１６−Ｃ  Ｖｅｒ．１．０、Ｏｃｔｏｖｅｒ２２、２００４を参照されたい。
【００３０】
ＯＴＡＳＰ（Ｏｖｅｒ−ｔｈｅ−Ａｉｒ  Ｓｅｒｖｉｃｅ  Ｐｒｏｖｉｓｉｏｎｉｎｇ）。無線インターフェースを介してモバイル局の動作パラメータを供給するためのプロセスである。「Ｏｖｅｒ−ｔｈｅ−Ａｉｒ  Ｓｅｒｖｉｃｅ  Ｐｒｏｖｉｓｉｏｎｉｎｇ  ｏｆ  Ｍｏｂｉｌｅ  Ｓｔａｔｉｏｎｓ  ｉｎ  Ｓｐｒｅａｄ  Ｓｐｅｃｔｒｕｍ  Ｓｙｓｔｅｍｓ」、３ｒｄ  Ｇｅｎｅｒａｔｉｏｎ  Ｐａｒｔｎｅｒｓｈｉｐ  Ｐｒｏｊｅｃｔ２  「３ＧＰＰ２」、Ｃ．Ｓ００１６−Ｃ  Ｖｅｒ．１．０、Ｏｃｔｏｖｅｒ２２、２００４を参照されたい。
【００３１】
パケット制御機能（ＰＣＦ）は、セルサイト内のモバイル局とパケットデータサービングノード（ＰＤＳＮ）との間にＩＰパケットデータをルーティングする、ネットワークエンティティである。パケット制御機能は、利用可能な補足チャンネルを、必要に応じて割り当てることにより、モバイルによって提供され、加入者によって支払われたサービスに準拠する。ＰＣＦは、無線ネットワークとモバイル局との間の連絡可能状態を維持することにより、複数のパケットに対して整合のとれたリンクを保証し；無線リソースが、ＰＤＳＮからのフローをサポートするための準備ができていないか、上記フローをサポートするのに不十分である場合に、ＰＤＳＮから到達するパケットをバッファし；ＭＳとＰＤＳＮとの間にパケットをリレーする。
【００３２】
ビジターロケーションレジスタ（ＶＬＲ）。ＶＬＲは、一時的なユーザ情報（例えば、現在位置）を維持するためのデータベースであり、加入者（彼らのホームシステムによってカバーされているエリアの外に出ていない）からのリクエストを管理する。ユーザがコールを発信すると、交換装置は、そのコールがデバイスのホームエリアから来たものであるかどうかを判断する。ユーザがホームエリアの外に出ている場合、エリアのＶＬＲは、コールを処理するために必要な情報に対するリクエストを送信する。ＭＳＣは、通話によって識別されたＨＬＲに対し、それが適切なＭＳＣにリレーする情報について、クエリする。適切なＭＳＣが、情報をＶＬＲにリレーする。
【００３３】
デバイス１０２は、無線インターフェースによって、基地局コントローラ（ＢＳＣ）およびパケット制御機能（ＰＣＦ）に接続される。これらは一緒に、ＢＳＣ／ＰＣＦ２５０として示されている。ＢＳＣは、モバイル交換センター（ＭＳＣ）に接続されており、これは、ビジターロケーションレジスタ（ＶＬＲ）を有する１つのブロック内に示されており、これらは一緒に、ＭＳＣ／ＶＬＲ２４５として示されている。ＭＳＣ／ＶＬＲ２４５は、ＡＮＳＩ−４１ネットワーク２３２に接続されている。ＯＡＴＦ１１５は、ＡＮＳＩ−４１ネットワーク２３２に接続されている。ＯＴＡＦ１１５は、以下で記載されるように、ＤＭサーバ２２０として退化（ｏｂｓｏｌｅｔｅ）し得るが、ＯＡＴＦ１１５の全ての機能を実行し得る。しかしながら、図４に含まれているＯＡＴＦ１１５は、一定期間の間に下位互換性を有するように存在し続けることが企図されている。
【００３４】
ＡＮＳＩ−４１ネットワーク２３２はまた、ホームロケーションレジスタ（ＨＬＲ）２３６に接続されている。ＭＳＣは、ＭＳを認証し、ＭＳの状態を判断するために、ＨＬＲ２３６にクエリする。ＡＮＳＩ−４１ネットワーク２３２は、メッセージセンター（ＭＣ）２２８に接続されている。ＭＣ２２８は、モバイル局へのＳＭＳメッセージおよびモバイル局からのＳＭＳメッセージを取り扱う、ネットワークエンティティである。ＭＣは、無線システムから分離したものであるか、無線システムと物理的に一体であり得る。
【００３５】
ＭＣ２２８は、デバイス管理（ＤＭ）サーバ２２０に接続されている。ＤＭサーバ２２０は、モバイルデバイス内のサービスおよびアプリケーションを管理する、ネットワークエンティティである。これは、ＤＭコマンドを発行し、ＤＭクライアント（例えば、モバイル局１０２）からの応答を正確にインタープリットする。ＤＭサーバ２２０は、ＤＭデータベース２２４と、５つの管理エンティティ、すなわち、構成管理２０３、サービス管理２０６、ＣＤＭＡ  ＯＴＡＳＰ／ＯＴＡＰＡ２０９、エンタープライズ管理２１２、およびソフトウェア管理２１５に接続されている。ＣＤＭＡ  ＯＴＡＳＰ／ＯＴＡＰＡ２０９は、ＤＭ管理可能デバイス１０２に対するＯＴＡＳＰおよびＯＴＡＰＡを管理する。
【００３６】
モバイル局１０２はまた、ＰＣＦ（ＢＳＣ／ＰＣＦ２５０としてＢＳＣで示されている）およびパケットデータ交換ネットワーク（ＰＤＳＮ）２６８を介することにより、インターネットプロトコル（ＩＰ）ネットワーク２６０にも接続され得る。ＩＰネットワーク２６０は、ホームの認証、認可、および課金（ＡＡＡ）エンティティ２６２およびビジターの（ＡＡＡ）エンティティ２６４に接続されている。
【００３７】
ＩＰネットワークはまた、ホームエージェント（ＨＡ）２５５に接続されている。ＨＡ２５５は、ネットワークエンティティであって、これは、モバイルのホームＩＰアドレスと、移動先ネットワーク（すなわち、例えばＰＤＳＮのような移動先エージェント）からの「ケアオブ」アドレス（すなわち、モバイルが借りているアドレス）との間の関連性を維持する。ＨＡ２５５は、移動先ネットワーク上のケアオブアドレスにパケットをリダイレクトまたはトンネリングする。
【００３８】
ＨＡは、ＤＭサーバ２２０に関連して上述された機能を実行するために、ＤＭサーバ２２０に接続されている。このようにして、ＤＭサーバ２２０は、ＡＮＳＩ−４１ネットワーク（ＭＣ２２８経由）およびＩＰネットワーク２６０（ＨＡ２５５経由）の両方に接続されている。したがって、ＣＤＭＡ  ＯＴＡＳＰ機能およびＣＤＭＡ  ＯＴＡＰＡ機能は、パケットデータ（ＩＰネットワーク２６０経由）および回線交換接続（ＡＮＳＩ−４１ネットワーク２３２経由）の両方を介して、実行され得る。
【００３９】
デバイス１００は、図２に関連して記載されているように、アップデートされ得る。図２は、デバイス管理可能セルラー無線通信デバイス１０２を用いた、非デバイス管理可能セルラー無線通信デバイス１００のアップデートを描いている、コール図を示している。デバイス管理可能デバイス１０２がアップデートを取得すると、デバイス管理可能デバイス１０２は、ステップ１４４において、非デバイス管理可能デバイス１００（または図示されていないその他のデバイス）をアップデートするために、フラグをセットする。図２に関連して示されているプロセスは、その他の非デバイス管理可能デバイス（図示されていない）に対して繰り返され得る。すなわち、デバイス１０２は、複数の非デバイス管理可能デバイス（図示されていない）を同様にアップデートし得る。これらは、ステップ１４４およびステップ１６４において、ＤＥＶＩＣＥ＿１〜ＤＥＶＩＣＥ＿Ｎのうち、デバイス１００ではないものとして、示されている。デバイス１００は、ＤＥＶＩＣＥ＿１として示されている。
【００４０】
ステップ１４８に示されているように、デバイス管理可能デバイス１０２は、ＤＥＶＩＣＥ＿１からＤＥＶＩＣＥ＿Ｎへの開始時デバイス管理サービスメッセージを送信する。矢印１５０は、開始時デバイス管理サービスメッセージが、無線により、デバイス管理可能デバイス１０２から、非デバイス管理可能デバイス１００に移動することを表現している。図１に関連して示されたように、無線メッセージ１５０は、無線接続１０５を介することにより、無線によって、基地局１０８へと移動し、その後、基地局１０８から、無線接続１０６を介することにより、非デバイス管理可能デバイス１００へと移動する。
【００４１】
メッセージ１５０は、モバイル交換センター１１１を含む無線ネットワークを介することにより、ルーティングされる。あるいは、メッセージ１５０は、典型的なＰＴＴコールの場合では、ＩＰベースの無線ネットワークを介することにより、ルーティングされ得る。あるいは、メッセージ１５０は、例えば、Ｂｌｕｅｔｏｏｔｈのような無線接続または有線接続を介することにより、非デバイス管理可能デバイス１００に送信され得る。非デバイス管理可能デバイス１００が、デバイス管理可能デバイス１０２と同じ基地局１０８と連絡しない場合には、メッセージ１５０は、別の基地局（図示されていない）にルーティングされ得る。しかしながら、図２に関連して示されているように、非デバイス管理可能デバイス１００は、デバイス管理可能デバイス１０２と同じ基地局１０８と連絡する。
【００４２】
ステップ１６８において、開始時デバイス管理サービスメッセージ１５０は、非デバイス管理可能デバイス１００によって受信される。有利にも、非デバイス管理可能デバイス１００は、ユーザの介入を一切必要とすることなしに、開始時デバイス管理サービスメッセージに応答する。例えば、非デバイス管理可能デバイス１００は、デバイス管理可能デバイス１０２のＭＩＮを認識し得る。非デバイス管理可能デバイス１００は、デバイス管理可能デバイス１０２のＭＩＮに基づいて、デバイス管理可能デバイス１０２からの、開始時デバイス管理サービスメッセージを、受け入れるようにプログラムされ得る。
【００４３】
ステップ１７２において、開始時デバイス管理サービスメッセージ１５０の受信に応答して、非デバイス管理可能デバイス１００は、デバイス管理サービス受領確認メッセージを送信する。デバイス管理サービス受領確認メッセージ１７４は、無線によって、非デバイス管理可能デバイス１００から、デバイス管理可能デバイス１０２に送信される。
【００４４】
ステップ１５２において、デバイス管理可能デバイス１０２は、デバイス管理サービス受領確認メッセージ１７４を受信する。ステップ１５６において、デバイス管理可能デバイス１０２は、デバイス管理サービス受領確認メッセージ１７４の受信に応答して、デバイス管理サービス情報１５８を送信する。
【００４５】
ステップ１７６において、非デバイス管理可能デバイス１００は、デバイス管理サービス情報１５８を受信する。ステップ１８０において、デバイス管理サービス情報１５８の受信に応答して、非デバイス管理可能デバイス１００は、デバイス管理可能デバイス１０２に対し、受領確認デバイス管理サービス情報メッセージ１８２を送信する。有利にも、ステップ１８４において、非デバイス管理可能デバイス１００は、非デバイス管理可能デバイス１００内にデバイス管理情報を実装する。例えば、非デバイス管理可能デバイス１００は、非デバイス管理可能デバイスのＭＩＮ、選択式ローミングリスト、アドレスリストまたはディレクトリ、セキュリティのための電子鍵交換、ＣＤＭＡ動作パラメータ、コール履歴中のエントリの数、およびコール履歴に関するその他のパラメータをアップデートし得る。
【００４６】
デバイス管理可能デバイスは、１つ以上の非デバイス管理可能デバイスのデバイス管理サービスを制御するために用いられ得る。したがって、あるデバイスのためのデバイス管理サービスは、そのデバイスがデバイス管理サービスから制限されていなかったとしても、意図的に使用不可能にされ得る。例えば、親は、小さな子供が、自分のデバイス管理サービスを制御できることを望まないかもしれない。親は、小さな子供のために、非デバイス管理可能デバイスを購入し得る。その後、デバイス管理サービスの項目は、親のみによって、アップデートされ得る。別の例として、雇用者は、被雇用者が、デバイス管理サービスを制御できることを望まないかもしれない。雇用者は、被雇用者のために、非デバイス管理可能デバイスを購入し得る。その後、デバイス管理サービスの項目は、雇用者のみによって（あるいは、例えば管理者によって）、アップデートされ得る。
【００４７】
ステップ１６０において、非デバイス管理可能デバイス１００からのデバイス管理情報サービス受領確認メッセージ１８２を受信した後、デバイス管理可能デバイス１０２は、ステップ１６４において、デバイス１００に対するフラグをリセットする。上述されたように、デバイス管理可能デバイス１０２は、どの非デバイス管理可能デバイスが正しくアップデートされたかを追跡するためにフラグを用いることにより、より多くの非デバイス管理可能デバイスに対し、このプロセスを繰り返し得る。さらに、デバイス管理可能デバイス１０２は、図２に関連して記載された方法を、ここでは可能性のある非デバイス管理可能デバイスＤＥＶＩＣＥ＿１〜ＤＥＶＩＣＥ＿Ｎに対し、実行し得る。
【００４８】
ここで、図３に関連して、セルラー電話１０２が記載される。図３は、セルラー電話１０２のブロック図を示している。セルラー電話１０２は、無線によって、無線周波数ＲＦ信号を通信するために、アンテナ１６５を含んでいる。アンテナ１６５は、セルラー電話１０２の内部に示されている。実際には、アンテナ１６５は、内部または外部に存在し得る。追加的に、１つ以上のアンテナが存在し得る。
【００４９】
アンテナ１６５は、ＲＦ信号をデジタル信号に変換するために、およびデジタル信号をＲＦ信号に変換するために、モデム１７０に接続されている。モデム１７０は、例えば、以下のＲＦコンポーネントのうちの１つ以上を含み得る。デュプレクサ、フィルタ、ミキサー、ＲＦ増幅器、ならびにベースバンドプロセッサ。モデム１７０は、セルラー通信信号、例えば、Ｕ．Ｓ．ＰＣＳ信号またはＧＳＭ信号を処理し得る。その他の通信信号、例えば、８２４〜８９９ＭＨｚの間のＵ．Ｓ．セルラー通信もまた、可能である。
【００５０】
モデム１７０は、プロセッサブロック１７５に接続されている。プロセッサブロック１７５は、セルラー電話のための多数の機能を実行する。プロセッサブロック１７５は、例えば、ユーザインターフェースデバイス１９０（例えば、スピーカ１９０）にオーディオ信号を提供するために、デジタル信号をデコードする。プロセッサに接続されているその他の一般的なユーザインターフェースデバイスは、マイク１８５、ディスプレイスクリーン１９２、キーパッド１９４である。その他のユーザインターフェースデバイスもまた、可能である。
【００５１】
プロセッサデバイス１７５は、１つ以上のプロセッサを含み得る。加えて、本明細書中に記載されている１つ以上の機能およびプロセスは、個別論理またはその他の便利なデバイス、例えば、フィールドプログラマブルゲートアレイ（ＦＰＧＡ）により、プロセッサとは別々に、あるいはプロセッサと関連して、実行され得る。さらに、プロセッサブロック１７５は、モデム１７０の機能の一部を実行し得る。例えば、ベースバンド処理は、プロセッサブロック１７５によって、実行され得る。さらに、本明細書中に記載されている１つ以上の機能およびプロセスは、一部分はソフトウェアにより、一部分はハードウェアにより、実行され得る。
【００５２】
プロセッサブロック１７５は、メモリブロック１９６に接続されている。メモリブロック１９６は、１つ以上のメモリコンポーネントを含み得る。メモリコンポーネントは、任意の便利なメモリ、例えば、フラッシュメモリ、ランダムアクセスメモリ、リードオンリメモリ、揮発性メモリ、不揮発性メモリ、およびリムーバブルメモリであり得る。さらに、メモリブロック１９６およびプロセッサブロック１７５は、別々のエンティティとして示されているが、プロセッサブロックは、なんらかの内部メモリを有し得るので、メモリブロック１９６を含み得る。メモリブロック１９６は、本明細書中に記載された機能、および当該技術分野において公知な機能を実行するために必要な、コードおよびデータを格納する。
【００５３】
プロセッサブロック１７５はまた、ポータブル電源１９８（例えば、バッテリー）にも接続されている。ポータブル電源１９８は、プロセッサブロック１７５に電力を提供する。ポータブル電源１９８はまた、モデム１７０に電力を供給するために、モデム１７０にも接続されている。ポータブル電源１９８は、その他のコンポーネント、例えば、ディスプレイ１９２にも接続されている。
【００５４】
さらに、本発明の実施形態および実装が、示され記載されてきたが、より多くの実施形態および実装が、本発明の範囲内にあることが、明白である。したがって、本発明は、請求項およびその均等物に関連したものではあるが、それ以上には限定されない。
【図面の簡単な説明】
【００５５】
本明細書中に教示される本発明の実施形態は、添付の複数の図面の図において例示することを目的として示されているが、添付の複数の図面の図に制限することを目的としては示されていない。
【図１】図１は、非デバイス管理可能セルラー無線通信デバイスをアップデートするための無線通信システムを描いたブロック図を示している。
【図２】図２は、非デバイス管理可能セルラー無線デバイスのアップデートを描いたコール図を示している。
【図３】図３は、デバイス管理可能セルラー無線通信デバイスを描いたブロック図を示している。
【図４】図４は、非デバイス管理可能セルラー無線通信デバイスのアップデートのための無線通信システムを描いたブロック図を示している。
【図１】
2008546283.tif 000003
【図２】
2008546283.tif 000004
【図３】
2008546283.tif 000005
【図４】
2008546283.tif 000006
【国際調査報告】
2008546283.tif 000007
2008546283.tif 000008
2008546283.tif 000009